(57)【要約】【課題】コントラストを向上させることができ、かつ、小型化できる照明光学装置及びこの照明光学装置を有するプロジェクタを提供すること。【解決手段】照明光学装置１０の平行化凹レンズ１４を楕円リフレクタ１３により反射された光束の径が液晶パネル４１の画像形成領域の短辺寸法以上、長辺寸法以下となる位置に配置する。また、平行化凹レンズ１４、第１レンズアレイ１６、第２レンズアレイ１７、およびＰＢＳアレイ１８、コンデンサレンズ１９の光束透過領域は、略正方形状であり、各光束透過領域の一辺の長さ寸法は、液晶パネル４１の画像形成領域の短辺寸法以上、長辺寸法以下となっている。【選択図】　図２
2004126184.tif 000002
【特許請求の範囲】
【請求項１】
入射光束を画像情報に応じて変調し、光学像を形成する長方形状の画像形成領域を備えた光変調装置を照明する照明光学装置であって、
発光管、この発光管から放射された光束を反射する楕円リフレクタ、及びこの楕円リフレクタにより反射された光束を平行化する平行化レンズを備えた光源装置と、
照明光軸に直交する面内に複数の小レンズをマトリクス状に配列して構成され、前記光源装置から射出された光束を複数の部分光束に分割する光束分割光学素子と、
この光束分割光学素子により分割された各部分光束を前記光変調装置の画像形成領域上に重畳させる集光レンズとを備え、
前記平行化レンズ、前記光束分割光学素子、前記集光レンズの光束透過領域が前記画像形成領域の短辺寸法以上、長辺寸法以下の矩形状に設定されていることを特徴とする照明光学装置。
【請求項２】
請求項１に記載の照明光学装置において、
前記発光管の先端には、放射光束を前記楕円リフレクタに反射する反射部材が設けられていることを特徴とする照明光学装置。
【請求項３】
請求項２に記載の照明光学装置において、
前記発光管は、発光部本体を内部に封入する膨出部が形成された管状部材を備え、
前記反射部材は、前記膨出部の先端部分に蒸着形成された金属膜であることを特徴とする照明光学装置。
【請求項４】
請求項１から３の何れかに記載の照明光学装置において、
前記平行化レンズは、光束透過領域の入射側及び／又は射出側が非球面とされた平行化凹レンズであることを特徴とする照明光学装置。
【請求項５】
請求項４に記載の照明光学装置において、
前記平行化凹レンズは、光束透過領域の入射側が双曲面形状を有する非球面であり、射出側が平面であることを特徴とする照明光学装置。
【請求項６】
請求項４に記載の照明光学装置において、
前記平行化凹レンズは、光束透過領域の入射側が平面であり、
前記射出側が楕円面を有する非球面であることを特徴とする照明光学装置。
【請求項７】
請求項４に記載の照明光学装置において、
前記平行化凹レンズは、光束透過領域の入射側が球面であり、
前記射出側が双曲面形状を有する非球面であることを特徴とする照明光学装置。
【請求項８】
請求項１から７の何れかに記載の照明光学装置において、
前記集光レンズは、前記光束透過領域の入射側が平面であり、射出側が双曲面形状を有する非球面であることを特徴とする照明光学装置。
【請求項９】
請求項１から８の何れかに記載の照明光学装置において、
前記光束分割光学素子及び集光レンズの間には、入射光束の偏光方向を揃える偏光変換素子を備え、
前記偏光変換素子は、水晶又は雲母製の位相差板を有していることを特徴とする照明光学装置。
【請求項１０】
請求項１から９の何れかに記載の照明光学装置を備えることを特徴とするプロジェクタ。
【発明の詳細な説明】
【０００１】
【発明の属する技術分野】
本発明は、照明光学装置及びプロジェクタに関する。
【０００２】
【背景技術】
従来、プロジェクタとして、光源装置から射出された光束を、ダイクロイックミラーによりＲＧＢの三色の色光に分離し、三枚の液晶パネル（光変調装置）によって色光毎に画像情報に応じて変調し、変調後の光束をクロスダイクロイックプリズムで合成し、投写レンズを介してカラー画像を拡大投写する、いわゆる三板式のプロジェクタが知られている。
【０００３】
このようなプロジェクタは、図５に示すような照明光学装置１００を有している。この照明光学装置１００は、光源装置１１０と、均一照明光学系１５０とを有する。
光源装置１１０は、放射光源としての発光管（光源ランプ１２）と、楕円リフレクタ１３０と、平行化凹レンズ１４０とを有しており、光源ランプ１２から射出された放射状の光線をリフレクタで反射して射出し、平行化凹レンズ１４０で平行化させている。
均一照明光学系１５０は、楕円リフレクタ１３０で反射された光束を複数の部分光束に分割し、液晶パネル４１の画像形成領域上に重畳させる機能を有し、光束分割光学素子（第１レンズアレイ１６０）と、偏光変換素子（ＰＢＳアレイ１８０）と、集光レンズ（第２レンズアレイ１７０、コンデンサレンズ１９０）とを有する（例えば、特許文献１参照）。
【０００４】
【特許文献１】
特開２０００−３４７２９３号公報（第１２〜第１３頁、図１４）
【０００５】
【発明が解決しようとする課題】
このような照明光学装置１００では、光源ランプ１２からの光束をすべて取り込むために、平行化凹レンズ１４０の光束透過領域の輪郭形状を正方形状とし、その一辺の長さ寸法をリフレクタ１３０の開口部の径寸法と略等しくしている。そして、平行化凹レンズ１４０から射出される光束が全て入射できるよう平行化凹レンズ１４０の後段に配置される第１レンズアレイ１６０、第二レンズアレイ１７０、ＰＢＳアレイ１８０、コンデンサレンズ１９０も平行化凹レンズ１４０と一辺の長さ寸法が等しい正方形の光束透過領域を有するものとしている。
これに対し、液晶パネル４１の画像形成領域は、リフレクタ１３０の開口部の径寸法よりも非常に短い短辺、長辺から構成される長方形状となっている。そのため、コンデンサレンズ１９０の光束透過領域の一辺の長さ寸法と液晶パネル４１の画像形成領域の短辺、長辺の長さ寸法には大きな差が生じ、コンデンサレンズ１９０の周縁部から射出された光束の液晶パネル４１への入射角は大きなものとなる。通常、液晶パネル４１はリフレクタ１３０やレンズ等で平行光束とされた光束が、画像形成領域に対して略垂直に入射するように設定されているので、光束の入射角が大きくなり、光束が画像形成領域に対し斜めに入射した場合には、投写映像のコントラストが悪化しやすく、画像の品質が低下する可能性がある。
また、光源ランプ１２からの光束をすべて取り込むために、レンズ１４０，１６０，１７０，１８０，１９０の光束透過領域の一辺の長さ寸法をリフレクタ１３０の開口部の径寸法と略等しくしているため、照明光学装置１００のさらなる小型化を図ることができないという問題もある。
【０００６】
本発明の目的は、コントラストを向上させることができ、かつ、小型化できる照明光学装置及びこの照明光学装置を有するプロジェクタを提供することである。
【０００７】
【課題を解決するための手段】
そのため、本発明は以下の構成を採用して前記目的を達成しようとするものである。
本発明の照明光学装置は、入射光束を画像情報に応じて変調し、光学像を形成する長方形状の画像形成領域を備えた光変調装置を照明する照明光学装置であって、発光管、この発光管から放射された光束を反射する楕円リフレクタ、及びこの楕円リフレクタにより反射された光束を平行化する平行化レンズを備えた光源装置と、照明光軸に直交する面内に複数の小レンズをマトリクス状に配列して構成され、前記光源装置から射出された光束を複数の部分光束に分割する光束分割光学素子と、この光束分割光学素子により分割された各部分光束を前記光変調装置の画像形成領域上に重畳させる集光レンズとを備え、前記平行化レンズ、前記光束分割光学素子、前記集光レンズの光束透過領域が前記画像形成領域の短辺寸法以上、長辺寸法以下の矩形状に設定されていることを特徴とする。
【０００８】
この本発明によれば、楕円リフレクタ使用しているので、光源ランプから放射される光線を単に反射するだけでなく、反射した光束を絞り込み、その径を小さくすることができる。楕円リフレクタにより反射された光束の径が画像形成領域の短辺寸法以上、長辺寸法以下となる位置に平行化レンズを配置することで、平行化レンズ、さらには、この平行化レンズの後段に配置される光束分割光学素子、集光レンズの光束透過領域を画像形成領域の短辺寸法以上、長辺寸法以下の矩形状に設定することができる。これにより、集光レンズから射出される光束の径は、画像形成領域の短辺寸法以上、長辺寸法以下となる。
集光レンズから射出される光束の径と、画像形成領域の長辺寸法、短辺寸法との差が小さくなるので、集光レンズから射出される光束の光変調装置への入射角度を小さくすることができる。光変調装置への入射光束の入射角が小さいほど、投写映像のコントラストはよくなるため、従来の照明光学装置を用いた場合にくらべ、投写映像のコントラストを向上させることができる。
【０００９】
また、このように光変調装置への入射光束の入射角が小さくなるので、光変調装置から射出される光束の射出角も小さくなる。そのため、光変調装置の後段に設けられる投写レンズのＦナンバーを大きくすることができ、より解像力の高いまたは高精細な投写映像を形成することができる。
また、平行化レンズ、光束分割光学素子、集光レンズの光束透過領域は、光変調装置の画像形成領域の短辺寸法以上、長辺寸法以下に設定されているので、従来の平行化レンズ、光束分割光学素子等よりも小さな寸法とすることができる。従って、照明光学装置の小型化、軽量化を図ることができる。
【００１０】
本発明では、前記発光管の先端には、放射光束を前記楕円リフレクタに反射する反射部材が設けられていることが好ましい。
反射部材が取り付けられていない発光管を使用する場合には、発光管から放射される光束を全て反射させるために発光管の先端までも覆うような大きな楕円リフレクタを使用する必要がある。
この発明によれば、発光管に反射部材が取り付けられているので、発光管の先端から射出される光束は楕円リフレクタ側に反射される。そのため、楕円リフレクタを発光管の先端を覆うような大きさにする必要がなくなり、楕円リフレクタの大きさを小さくすることが可能である。
【００１１】
また、大きな楕円リフレクタを使用する場合には、楕円リフレクタにより反射された光束の径が画像形成領域の短辺寸法以上、長辺寸法以下となる位置が光源ランプから遠くなるので、光源ランプと平行化レンズとの距離を大きくとる必要がある。また、このように光源ランプからの距離を大きくとった場合には平行化レンズの倍率を大きなものにする必要がある。
これに対し、本発明では、楕円リフレクタの大きさを小さくできるので、楕円リフレクタにより反射された光束の径が画像形成領域の短辺寸法以上、長辺寸法以下となる位置が光源ランプに近くなる。そのため、平行化レンズを光源ランプに接近させることが可能であり、照明光学装置の小型化を図ることができる。また、平行化レンズを光源ランプに接近させることができるので、平行化レンズの倍率を小さくすることができる。
【００１２】
本発明では、前記発光管は、発光部本体を内部に封入する膨出部が形成された管状部材を備え、前記反射部材は、前記膨出部の先端部分に蒸着形成された金属膜であることが好ましい。
発光部本体を内部に封入する膨出部に反射部材である金属膜を形成することで、膨出部の先端部分から放射された光束を確実に楕円リフレクタに反射させることができる。従って、膨出部の先端部分から放射された光束が楕円リフレクタに反射されずに射出されてしまうことを防止できる。
【００１３】
本発明では、前記平行化レンズは、光束透過領域の入射側及び／又は射出側が非球面とされた平行化凹レンズであることが好ましい。
球面の平行化凹レンズを使用した場合には、球面収差が生じるため、中心部の平行度は高いものの、周辺部の平行度がよくないことがある。
この発明によれば、平行化凹レンズの入射側及び／又は射出側を非球面とすることで、射出される光束の平行度を向上させることができる。
【００１４】
本発明では、前記平行化凹レンズは、（１）光束透過領域の入射側が双曲面形状を有する非球面であり、射出側が平面であるもの、（２）前記平行化凹レンズは、光束透過領域の入射側が平面であり、前記射出側が楕円面を有する非球面であるもの、（３）前記平行化凹レンズは、光束透過領域の入射側が球面であり、前記射出側が双曲面形状を有する非球面であるものの何れかであることが好ましい。
【００１５】
この発明によれば、（１）の場合には、入射側を双曲面形状を有する非球面としているので、光束は平行化凹レンズの光束透過領域の入射側で平行化され、射出側では屈折作用を受けないようにすることができる。従って、より平高度の高い射出光束を得ることができる。また、射出側は平面であるため、平行化凹レンズの作成を比較的安価に行うことができる。
また（２）の場合には、光束透過領域の射出側を非球面としているので射出される光束の径を小さくすることができる。
さらに、光束透過領域の射出側を非球面としているので射出される光束の面内照度のばらつきを比較的小さくすることができる。
（３）の場合には、光束透過領域の射出側を非球面としているので（２）と同様の効果を奏することができるほか、光束透過領域の入射側を球面としているので、入射側において光が屈折を受けないようにすることができ、より平行度の高い射出光束を得ることができる。
【００１６】
本発明では、前記集光レンズは、前記光束透過領域の入射側が平面であり、射出側が双曲面形状を有する非球面であることが好ましい。
この発明によれば、前記光束透過領域の射出側を非球面としているので射出される光束の収差を小さくすることができる。従って、光変調装置の画像形成領域に確実に光束を入射させることができる。
【００１７】
本発明では、前記光束分割光学素子及び集光レンズの間には、入射光束の偏光方向を揃える偏光変換素子を備え、前記偏光変換素子は、水晶又は雲母製の位相差板を有していることが好ましい。
前述したように平行化凹レンズや、光束分割光学素子の光束透過領域を小さくしたので、光束密度が高くなっているので、位相差板の耐熱性を向上させる必要がある。
本発明によれば、位相差板を水晶又は雲母製としたので、位相差板の耐熱性の耐熱性を向上させることができる。
【００１８】
本発明のプロジェクタは、前述した何れかの照明光学装置を備えていることを特徴とする。
この発明によれば、前述した照明光学装置と略同様の作用効果を奏することができる。つまり、コントラストを向上させることができるプロジェクタとなる。
【００１９】
【発明の実施の形態】
以下、本発明の第１実施形態を図面に基づいて説明する。
図１には、本発明の実施形態に係るプロジェクタ１の光学系の構造を表す模式図が示されている。このプロジェクタ１は、インテグレータ照明光学系（照明光学装置）１０、色分離光学系２０、リレー光学系３０、光学装置４０、色合成光学系であるクロスダイクロイックプリズム６０、および投写光学系である投写レンズ７０を備えている。
前記照明光学装置１０は、光源装置１１および均一照明光学系１５を備え、光源装置１１は、光源ランプ１２（発光管）と、光源ランプ１２から射出された光束を反射する楕円リフレクタ１３と、平行化凹レンズ１４とを備えている。
均一照明光学系１５は、光源装置１１から射出された光束を複数の部分光束に分割するとともに、各部分光束の偏光方向を、Ｐ偏光光束あるいはＳ偏光光束に揃えるものであり、光束分割素子である第１レンズアレイ１６、第２レンズアレイ１７、偏光変換素子であるＰＢＳアレイ１８、および集光レンズであるコンデンサレンズ１９を含んで構成されている。
なお、照明光学装置１０についての詳細は、後述する。
【００２０】
色分離光学系２０は、２枚のダイクロイックミラー２１，２２と、反射ミラー２３とを備え、ダイクロイックミラー２１、２２により照明光学装置１０から射出された複数の部分光束を赤（Ｒ）、緑（Ｇ）、青（Ｂ）の３色の色光に分離する機能を有している。
【００２１】
リレー光学系３０は、入射側レンズ３１と、リレーレンズ３３と、反射ミラー３２、３４とを備え、色分離光学系２０で分離された色光である赤色光を液晶パネル４１Ｒまで導く機能を有している。
【００２２】
この際、色分離光学系２０のダイクロイックミラー２１では、照明光学装置１０から射出された光束のうち、赤色光と緑色光を透過し、青色光を反射する。ダイクロイックミラー２１によって反射した青色光は、反射ミラー２３で反射し、フィールドレンズ４４を通って、青色用の液晶パネル４１Ｂに到達する。このフィールドレンズ４４は、第２レンズアレイ１７から射出された各部分光束をその中心軸（主光線）に対して平行な光束に変換する。他の液晶パネル４１Ｇ、４１Ｒの光束入射側に設けられたフィールドレンズ４４も同様である。
【００２３】
また、ダイクロイックミラー２１を透過した赤色光と緑色光のうちで、緑色光は、ダイクロイックミラー２２によって反射し、フィールドレンズ４４を通って、緑色用の液晶パネル４１Ｇに到達する。一方、赤色光は、ダイクロイックミラー２２を透過してリレー光学系３０を通り、さらにフィールドレンズ４４を通って、赤色光用の液晶パネル４１Ｒに到達する。
なお、赤色光にリレー光学系３０が用いられているのは、赤色光の光路の長さが他の色光の光路長さよりも長いため、光の発散等による光の利用効率の低下を防止するためである。すなわち、入射側レンズ３１に入射した部分光束をそのまま、フィールドレンズ４４に伝えるためである。なお、リレー光学系３０には、３つの色光のうちの赤色光を通す構成としたが、これに限らず、例えば、青色光を通す構成としてもよい。
【００２４】
光学装置４０は、入射された光束を画像情報に応じて変調してカラー画像を形成するものであり、色分離光学系２０で分離された各色光が入射される３つの入射側偏光板（図示略）と、入射側偏光板の入射側に配置されるフィールドレンズ４４と、各入射側偏光板の後段に配置される光変調装置としての液晶パネル４１Ｒ，４１Ｇ，４１Ｂと、各液晶パネル４１Ｒ，４１Ｇ，４１Ｂの後段に配置される射出側偏光板（図示略）と、色合成光学系としてのクロスダイクロイックプリズム６０とを備える。
【００２５】
液晶パネル４１Ｒ，４１Ｇ，４１Ｂは、一対の透明なガラス基板間に電気光学物質である液晶を密閉封入したものであり、例えば、ポリシリコンＴＦＴをスイッチング素子として、与えられた画像信号に従って、入射側偏光板から射出された偏光光束の偏光方向を変調する。この液晶パネル４１Ｅ，４１Ｇ，４１Ｂの画像形成領域は長方形状である。
入射側偏光板は、色分離光学系２０で分離された各色光のうち、一定方向の偏光光束のみ透過させ、その他の光束を吸収する光学変換素子である。また、射出側偏光板も、液晶パネル４１（４１Ｒ，４１Ｇ，４１Ｂ）から射出された光束のうち、所定方向の偏光光束のみ透過させ、その他の光束を吸収するものである。
フィールドレンズ４４は、照明光学装置１０のコンデンサレンズ１９で絞り込まれた射出光束を照明光軸に対して平行にするための光学素子である。
【００２６】
クロスダイクロイックプリズム６０は、射出側偏光板から射出され、各色光毎に変調された光学像を合成してカラー画像を形成するものである。
クロスダイクロイックプリズム６０には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００２７】
図２も参照して照明光学装置１０について詳細に説明する。図２は照明光学装置１０と液晶パネル４１との関係を示す模式図である。
前述したように照明光学装置１０は光源装置１１および均一照明光学系１５を備えている。光源装置１１は、光源ランプ１２と、光源ランプ１２から射出された光束を反射する楕円リフレクタ１３と、平行化凹レンズ１４とを備えている。
光源ランプ１２は、図示しないが、所定距離離間して配置される一対の電極（発光部本体）と、この電極が封入された管状部材１２０とを備え、管状部材１２０は、電極の離間部分において外側に膨出した膨出部１２２を有している。この膨出部１２２の平行化凹レンズ１４側の先端部分には反射部材１２１が取り付けられている。
この反射部材１２１は膨出部１２２の先端側から放射される光束を楕円リフレクタ１３に反射するものであり、蒸着形成された金属膜である。
一対の電極間に電圧を印加すると、アーク放電が起こり、光源ランプ１２が点灯する。なお、このような光源ランプ１２は、メタルハライドランプ、高圧水銀ランプ等を使用することができる。
【００２８】
平行化凹レンズ１４は、楕円リフレクタ１３により反射された光束を平行化するものである。この平行化凹レンズ１４の光束透過領域の入射側は双曲面形状を有する非球面であり、射出側は平面となっている。平行化凹レンズ１４は、楕円リフレクタ１３により反射された光束の径が液晶パネル４１の画像形成領域の短辺寸法以上、長辺寸法以下となる位置に配置されている。
【００２９】
均一照明光学系１５は、第１レンズアレイ１６、第２レンズアレイ１７、ＰＢＳアレイ１８、およびコンデンサレンズ１９を有している。
第１レンズアレイ１６は、光源ランプ１２から射出された光束を複数の部分光束に分割する光束分割光学素子としての機能を有し、照明光軸と直交する面内にマトリクス状に配列される複数のレンズを備えて構成され、各レンズの縦横比は、後述する光学装置４０を構成する液晶パネル４１Ｒ、４１Ｇ、４１Ｂの画像形成領域の縦横比と対応している。
【００３０】
第２レンズアレイ１７は、前述の第１レンズアレイ１６により分割された部分部分光束を集光する集光レンズであり、第１レンズアレイ１６と同様に照明光軸に直交する面内にマトリクス状に配列される複数のレンズを備えている。各レンズの配列は、第１レンズアレイ１６を構成するレンズと対応しているが、その大きさは、第１レンズアレイ１６のように液晶パネル４１Ｒ、４１Ｇ、４１Ｂの画像形成領域の縦横比と対応する必要はない。
【００３１】
偏光変換素子としてのＰＢＳアレイ１８は、第１レンズアレイ１６により分割された各部分光束の偏光方向を一方向に揃える光学素子である。このＰＢＳアレイ１８は、図示しないが、偏光方向の異なる２種類のＰ偏光光束およびＳ偏光光束のうち、一方の偏光光束を透過させ、他方の偏光光束を反射して両偏光光束に分離する偏光分離膜と、この偏光分離膜で反射した他方の偏光光束の進行方向を折り曲げて、透過した一方の偏光光束の出射方向に揃える反射ミラーと、透過した一方の偏光光束の偏光変換を行う位相差板とを含んで構成される。この位相差板は、水晶又は雲母製となっている。
このようなＰＢＳアレイ１８を採用することで、光源ランプ１２から射出される光束を一方向の偏光光束のみに揃えることができるため、光源光の利用効率を向上させることができる。
【００３２】
コンデンサレンズ１９は、集光レンズであり、第１レンズアレイ１６、第２レンズアレイ１７、およびＰＢＳアレイ１８を経た複数の部分光束を集光して、液晶パネル４１Ｒ、４１Ｇ、４１Ｂの画像形成領域上に重畳させる機能を有するレンズである。このコンデンサレンズ１９は光束透過領域の入射側が平面であり、射出側が双曲面形状を有する非球面となっている。
【００３３】
このような平行化凹レンズ１４、第１レンズアレイ１６、第２レンズアレイ１７、およびＰＢＳアレイ１８、コンデンサレンズ１９の光束透過領域は、略正方形状であり、各光束透過領域の一辺の長さ寸法は、液晶パネル４１の画像形成領域の短辺寸法以上、長辺寸法以下となっている。
【００３４】
次に、図３，４をも参照して照明光学装置１０の光源ランプ１２から放射される光束の軌跡について説明する。図３は照明光学装置１０を上から見た場合の光束の軌跡を示す図であり、図４は照明光学装置１０を側方から見た場合の光束の軌跡を示す図である。また、図３，４には液晶パネル４１の前段に配置されるフィールドレンズ４４が示されている。
【００３５】
照明光学装置１０において、光源ランプ１２を点灯させると、光束が放射され、この光束は楕円リフレクタ１３により反射される。この楕円リフレクタ１３により反射された光束は平行化凹レンズ１４に入射され、平行化される。平行化凹レンズ１４は、前述したように、楕円リフレクタ１３により反射された光束の径が液晶パネル４１の画像形成領域の短辺寸法以上、長辺寸法以下となる位置に配置されており、また、光束透過領域の一辺は、画像形成領域の短辺寸法以上、長辺寸法以下であるため、平行化凹レンズ１４から射出される光束の径は、液晶パネル４１の画像形成領域の短辺寸法以上、長辺寸法以下となる。
【００３６】
この光束は第１レンズアレイ１６、第２レンズアレイ１７、およびＰＢＳアレイ１８、コンデンサレンズ１９に入射される。これらのレンズ１６，１７，１８，１９の光束透過領域の一辺は、画像形成領域の短辺寸法以上、長辺寸法以下であるため、コンデンサレンズ１９から射出された光束の径は、パネル４１の画像形成領域の短辺寸法以上、長辺寸法以下となり、フィールドレンズ４４を介して液晶パネル４１の画像形成領域に略垂直に入射される。
【００３７】
従って、本実施形態によれば、以下の効果を奏することができる。
楕円リフレクタ１３を使用しているので、光源ランプ１２から放射される光束を単に反射するだけでなく、反射した光束を絞り込み、その径を小さくすることができる。楕円リフレクタ１３により反射された光束の径が液晶パネル４１の画像形成領域の短辺寸法以上、長辺寸法以下となる位置に平行化凹レンズ１４を配置することで、平行化凹レンズ１４の光束透過領域の一辺の長さ寸法を、画像形成領域の短辺寸法以上、長辺寸法以下とすることができる。これにより、この平行化凹レンズ１４の後段に配置される第１レンズアレイ１６、第２レンズアレイ１７、ＰＢＳアレイ１８、コンデンサレンズ１９の光束透過領域の一辺の長さ寸法も画像形成領域の短辺寸法以上、長辺寸法以下に設定することができる。コンデンサレンズ１９から射出される光束の径は、画像形成領域の短辺寸法以上、長辺寸法以下となり、コンデンサレンズ１９から射出される光束の径と、液晶パネル４１の画像形成領域の長辺、短辺寸法との差が小さくなる。そのため、コンデンサレンズ１９から射出される光束は液晶パネル４１の画像形成領域へ略垂直に入射し、入射角度が小さくなる。液晶パネル４１への入射光束の入射角が小さいほど、投写映像のコントラストはよくなるため、投写映像のコントラストを向上させることができる。
【００３８】
また、このように液晶パネル４１への入射光束の入射角が小さくなるので、液晶パネル４１から射出される光束の射出角も小さくなる。そのため、投写レンズ７０のＦナンバーを大きくすることができ、より解像力の高いまたは高精細な投写映像を形成することができる。
さらに、前述したように平行化凹レンズ１４、第１レンズアレイ１６、第２レンズアレイ１７、およびＰＢＳアレイ１８、コンデンサレンズ１９の光束透過領域の一辺の長さ寸法は、液晶パネル４１の画像形成領域の短辺寸法以上、長辺寸法以下である。従って、これらのレンズ１４，１６，１７，１８，１９は、楕円リフレクタ１３の開口部の径寸法と略同じ寸法の光束透過領域を有する従来の平行化凹レンズ、光束分割光学素子等よりも小さな寸法となる。そのため、照明光学装置１０の小型化、軽量化を図ることができる。
【００３９】
反射部材１２１が取り付けられていない光源ランプ１２を使用する場合には、光源ランプ１２から放射される光束を全て反射させるために光源ランプ１２の先端までも覆うような大きな楕円リフレクタを使用する必要がある。
本実施形態では、光源ランプ１２に反射部材１２１が取り付けられているので、光源ランプ１２の先端側からは放射される光束は全て楕円リフレクタ１３側に反射される。そのため、楕円リフレクタ１３を光源ランプ１２の先端を覆うような大きさにする必要がなくなり、楕円リフレクタ１３の大きさを小さくすることができる。
【００４０】
また、大きな楕円リフレクタを使用する場合には、楕円リフレクタにより反射された光束の径が画像形成領域の短辺寸法以上、長辺寸法以下となる位置が光源ランプ１２から遠くなるので、光源ランプ１２と平行化凹レンズ１４との距離を大きくとる必要がある。また、このように光源ランプ１２からの距離を大きくとった場合には平行化凹レンズ１４の倍率を大きなものにする必要がある。
これに対し、本実施形態では、楕円リフレクタ１３の大きさを小さくできるので、楕円リフレクタ１３により反射された光束の径が液晶パネル４１の画像形成領域の短辺寸法以上、長辺寸法以下となる位置が光源ランプ１２に近くなる。そのため、平行化凹レンズ１４を光源ランプ１２に接近させることが可能であり、照明光学装置１０の小型化を図ることができる。また、光源ランプ１２に接近させることができるので平行化凹レンズ１４の倍率を小さくすることができる。
さらに、電極を内部に封入する膨出部１２２に金属膜の反射部材１２１を蒸着することで、膨出部１２２の先端部分から放射された光束を確実に楕円リフレクタ１３に反射させることができる。従って、膨出部１２２の先端部分から放射された光束が楕円リフレクタ１３で反射されずに射出されてしまうことを防止できる。
【００４１】
平行化凹レンズ１４の光束透過領域の入射側を双曲面形状を有する非球面としているので、光束は入射側で平行化され、射出側では屈折作用を受けないようにすることができる。従って、より平高度の高い射出光束を得ることができる。また、射出側は平面であるため、平行化凹レンズ１４の作成を比較的安価に行うことができる。
さらに、コンデンサレンズ１９の光束透過領域の射出側を非球面としているので射出される光束の収差を小さくすることができる。従って、液晶パネル４１の画像形成領域に確実に光束を入射させることができる。また、光束透過領域の入射側が平面であるため、コンデンサレンズ１９の作成を容易に行うことができる。
【００４２】
また、本実施形態では、前述したように平行化凹レンズ１４や、第１レンズアレイ１６等の光束透過領域を小さくしたので、光束密度が高くなっている。そのため、ＰＢＳアレイの位相差板の耐熱性を向上させる必要がある。本実施形態では、この位相差板を水晶又は雲母製としているので、樹脂製等の位相差板に比べ耐熱性を向上させることができる。
【００４３】
なお、本発明は前述の実施形態に限定されるものではなく、本発明の目的を達成できる範囲での変形、改良等は本発明に含まれるものである。
例えば、前記実施形態では、平行化凹レンズ１４は、光束透過領域の入射側が双曲面形状を有する非球面であり、射出側が平面であるとしたが、これには限られず、入射側が平面であり、射出側が楕円面を有する非球面であるものや、入射側は球面であり、射出側は双曲面形状を有する非球面であるものであってもよい。
前者の場合には、射出側を非球面としているので射出される光束の径を小さくすることができる。また、射出側を非球面としているので射出される光束の面内照度のばらつきを比較的小さくすることができる。
後者の場合には、前者と同様の効果を奏することができるうえ、入射側を球面としているので、入射側において光が屈折を受けないようにすることができ、より平行度の高い射出光束を得ることができる。
【００４４】
さらに、平行化凹レンズは、非球面を有さず、球面のみを有するものとしてもよい。この場合には、球面収差が生じ、平行度が悪くなる可能性があるが、球面を形成すればよいので、非球面を形成する場合に比べ、製造が容易となるという利点がある。
【００４５】
また、前記実施形態では、コンデンサレンズ１９は光束透過領域の入射側が平面であり、射出側が双曲面形状を有する非球面であるとしたが、これには限られず、例えば、入射側及び射出側が平面であってもよい。このようにすることで、コンデンサレンズ１９の製造の容易化を図ることができる。
また、ＰＢＳアレイ１８の位相差板を水晶又は雲母製としたが、これには限られず、例えば、位相差板を樹脂製としてもよい。
【００４６】
さらに、光源ランプ１２には反射部材１２１が取り付けられているとしたが、反射部材１２１は設けられていなくてもよい。このようにすれば、部材点数を削減することが可能である。ただし、反射部材１２１がない場合には、光源ランプ１２から光線が放射状に射出されるので、楕円リフレクタを大きなものとする必要がある。
また、前記実施形態では、平行化凹レンズ１４、第１レンズアレイ１６、第２レンズアレイ１７、およびＰＢＳアレイ１８、コンデンサレンズ１９の光束透過領域を略正方形状としたが、これには限られず、液晶パネル４１の画像形成領域の短辺寸法以上、長辺寸法以下である長方形状であってもよい。ただし、光束は円形状の断面を有しているので、前記実施形態のように正方形状とした方が光束透過領域のうち、光束が透過しない部分が少なくてよいという利点がある。
【図面の簡単な説明】
【図１】本発明の実施形態にかかるプロジェクタの光学系を示す模式図。
【図２】照明光学装置と液晶パネルとの関係を示す模式図。
【図３】光源装置から射出された光束の軌跡を示す図。
【図４】光源装置から射出された光束の軌跡を示す図。
【図５】従来の照明光学装置と液晶パネルとの関係を示す模式図。
【符号の説明】
１…プロジェクタ、１０…照明光学装置、１１…光源装置、１２…光源ランプ、１３…楕円リフレクタ、１４…平行化凹レンズ、１６…第１レンズアレイ、１７…第２レンズアレイ、１８…ＰＢＳアレイ、１９…コンデンサレンズ、４１，４１Ｒ，４１Ｇ，４１Ｂ…液晶パネル、１２０…管状部材、１２１…反射部材、１２２…膨出部。
【図１】
2004126184.tif 000003
【図２】
2004126184.tif 000004
【図３】
2004126184.tif 000005
【図４】
2004126184.tif 000006
【図５】
2004126184.tif 000007